(57)【特許請求の範囲】
【請求項１】
コアネットワーク（ＣＮ）ネットワークエレメント装置であって、
第１の専用ＣＮネットワークエレメントにより送信されたユーザ装置（ＵＥ）のＣＮタイプ情報を受信するように構成される受信モジュールであって、前記第１の専用ＣＮネットワークエレメントが、前記ＵＥがハンドオーバ処理中に位置するソースセルに対してサービスを提供する専用ＣＮネットワークエレメントである、前記受信モジュールと、
前記受信モジュールにより受信された前記ＣＮタイプ情報に従って、前記ＣＮタイプ情報により示されるＣＮタイプをサポートする第２の専用ＣＮネットワークエレメントの識別子情報を判定するように構成される判定モジュールであって、前記第２の専用ＣＮネットワークエレメントが、前記ＵＥがハンドオーバを完了した後に位置するターゲットセルに対してサービスを提供する専用ＣＮネットワークエレメントである、前記判定モジュールと、
前記判定モジュールにより判定された前記識別子情報に従って、前記ＵＥを前記識別子情報に対応する前記第２の専用ＣＮネットワークエレメントにハンドオーバするように構成されるハンドオーバモジュールとを備える、ＣＮネットワークエレメント装置。
【請求項２】
前記判定モジュールが、
当該ＣＮネットワークエレメント装置によりサポートされているＣＮタイプに従って、当該ＣＮネットワークエレメント装置自体が前記ＣＮタイプ情報により示される前記ＣＮタイプをサポートしているかどうかを判定し、
もし当該ＣＮネットワークエレメント装置自体が前記ＣＮタイプ情報により示される前記ＣＮタイプをサポートしているならば、当該ＣＮネットワークエレメント装置の識別子情報が前記第２の専用ＣＮネットワークエレメントの前記識別子情報であると判定し、或いは
もし当該ＣＮネットワークエレメント装置自体が前記ＣＮタイプ情報により示される前記ＣＮタイプをサポートしていないならば、前記ＣＮタイプ情報に従って、前記ＣＮタイプ情報により示される前記ＣＮタイプをサポートする前記第２の専用ＣＮネットワークエレメントの前記識別子情報を判定するように構成される、請求項１に記載のＣＮネットワークエレメント装置。
【請求項３】
前記受信モジュールが、
前記第１の専用ＣＮネットワークエレメントにより送信された転送再配置要求メッセージを受信し、前記転送再配置要求メッセージが前記ＵＥの前記ＣＮタイプ情報を搬送する、ように構成される、請求項１又は請求項２に記載のＣＮネットワークエレメント装置。
【請求項４】
専用ＣＮネットワークエレメント装置であって、
ユーザ装置（ＵＥ）をターゲットセルにハンドオーバするために使用されるとともに、ソース基地局により送信されるハンドオーバ要求メッセージを受信するように構成される受信モジュールであって、前記ソース基地局が、前記ＵＥがハンドオーバ処理中に位置するソースセルに対してサービスを提供する基地局である、前記受信モジュールと、
前記ハンドオーバ要求メッセージを受信したことに応答して、前記ハンドオーバ要求メッセージに基づいて、前記ＵＥが前記ハンドオーバを完了した後に位置する前記ターゲットセルに対してサービスを提供するターゲットＣＮネットワークエレメントを判定するとともに、前記ＵＥのＣＮタイプ情報を取得するように構成される取得モジュールと、
転送再配置要求メッセージを前記ターゲットＣＮネットワークエレメントに送信するように構成される送信モジュールであって、前記転送再配置要求メッセージが前記取得モジュールにより取得された前記ＣＮタイプ情報を搬送する、前記送信モジュールとを備える、専用ＣＮネットワークエレメント装置。
【請求項５】
専用ネットワークハンドオーバ方法であって、
ターゲットコアネットワーク（ＣＮ）ネットワークエレメントにより、第１の専用ＣＮネットワークエレメントにより送信されたユーザ装置（ＵＥ）のＣＮタイプ情報を受信するステップであって、前記第１の専用ＣＮネットワークエレメントが、前記ＵＥがハンドオーバ処理中に位置するソースセルに対してサービスを提供する専用ＣＮネットワークエレメントである、ステップと、
前記ターゲットＣＮネットワークエレメントにより、前記ＣＮタイプ情報に従って、前記ＣＮタイプ情報により示されるＣＮタイプをサポートする第２の専用ＣＮネットワークエレメントの識別子情報を判定するステップであって、前記第２の専用ＣＮネットワークエレメントが、前記ＵＥがハンドオーバを完了した後に位置するターゲットセルに対してサービスを提供する専用ＣＮネットワークエレメントである、ステップと、
前記ターゲットＣＮネットワークエレメントにより、前記識別子情報に従って、前記ＵＥを前記識別子情報に対応する前記第２の専用ＣＮネットワークエレメントにハンドオーバするステップとを含む、方法。
【請求項６】
前記ターゲットＣＮネットワークエレメントにより、前記ＣＮタイプ情報に従って、前記ＣＮタイプ情報により示されるＣＮタイプをサポートする第２の専用ＣＮネットワークエレメントの識別子情報を判定する前記ステップが、
前記ターゲットＣＮネットワークエレメントにより、前記ターゲットＣＮネットワークエレメント自体によりサポートされているＣＮタイプに従って、前記ターゲットＣＮネットワークエレメント自体が前記ＣＮタイプ情報により示される前記ＣＮタイプをサポートしているかどうかを判定するステップと、
もし前記ターゲットＣＮネットワークエレメント自体が前記ＣＮタイプ情報により示される前記ＣＮタイプをサポートしているならば、前記ターゲットＣＮネットワークエレメントにより、前記ターゲットＣＮネットワークエレメント自体の識別子情報が前記第２の専用ＣＮネットワークエレメントの前記識別子情報であると判定するステップ、又は
もし前記ターゲットＣＮネットワークエレメント自体が前記ＣＮタイプ情報により示される前記ＣＮタイプをサポートしていないならば、前記ターゲットＣＮネットワークエレメントにより、前記ＣＮタイプ情報に従って、前記ＣＮタイプ情報により示される前記ＣＮタイプをサポートする前記第２の専用ＣＮネットワークエレメントの前記識別子情報を判定するステップとを含む、請求項５に記載の方法。
【請求項７】
ターゲットコアネットワーク（ＣＮ）ネットワークエレメントにより、第１の専用ＣＮネットワークエレメントにより送信されたＵＥのＣＮタイプ情報を受信する前記ステップが、
前記ターゲットＣＮネットワークエレメントにより、前記第１の専用ＣＮネットワークエレメントにより送信された転送再配置要求メッセージを受信するステップであって、前記転送再配置要求メッセージが前記ＵＥの前記ＣＮタイプ情報を搬送する、ステップを含む、請求項５又は請求項６に記載の方法。
【請求項８】
専用ネットワークタイプ通知方法であって、
第１の専用コアネットワーク（ＣＮ）ネットワークエレメントにより、ユーザ装置（ＵＥ）をターゲットセルにハンドオーバするために使用されるとともに、ソース基地局により送信されるハンドオーバ要求メッセージを受信するステップであって、前記ソース基地局が、前記ＵＥがハンドオーバ処理中に位置するソースセルに対してサービスを提供する基地局であり、前記第１の専用ＣＮネットワークエレメントが、前記ソースセルに対してサービスを提供する専用ＣＮネットワークエレメントである、ステップと、
前記ハンドオーバ要求メッセージを受信したことに応答して、前記第１の専用ＣＮネットワークエレメントにより、前記ハンドオーバ要求メッセージに基づいて、前記ＵＥが前記ハンドオーバを完了した後に位置する前記ターゲットセルに対してサービスを提供するターゲットＣＮネットワークエレメントを判定するとともに、前記ＵＥのＣＮタイプ情報を取得するステップと、
前記第１の専用ＣＮネットワークエレメントにより、転送再配置要求メッセージを前記ターゲットＣＮネットワークエレメントに送信するステップであって、前記転送再配置要求メッセージが前記ＣＮタイプ情報を搬送する、ステップとを含む、方法。
【発明の詳細な説明】
【技術分野】
【０００１】
本発明は、通信技術の分野に関し、特に、専用ネットワークハンドオーバ方法、専用ネットワークタイプ通知方法、及び装置に関する。
【背景技術】
【０００２】
モバイル通信ネットワークが発展し、新しいアプリケーションが絶えず出現するにつれて、ユーザは、異なるアプリケーション分野で異なる通信機能を形成し、マシンタイプ通信（Machine  Type  Communication、ＭＴＣ）、モバイル仮想ネットワーク通信、及び公共安全通信（Public  Safety  Communication）のような、異なる移動通信タイプ及び対応するユーザ装置（ＵＥ）タイプが生成される。コアネットワーク（Core  Network、ＣＮ）側の観点から、異なるＵＥタイプは、異なるオプション機能サポート、サービス機能要件、有効性要件、及び輻輳管理メカニズムのような、異なる通信要件を有する。
【０００３】
オペレータは、ＵＥタイプの数が急激に増加すると、異なるＵＥタイプに対して異なる専用コアネットワークが配置されるという要件を提案する。オペレータは、同じ通信機能を有するＵＥタイプに対する専用のコアネットワークタイプ（ＣＮタイプ）に加入し、ＵＥタイプのためのモビリティ管理ネットワークエレメント及びデータゲートウェイのような専用コアネットワークネットワークエレメントを配置し、そして同じＣＮタイプを有するＵＥを、ＵＥのために専用に配置されたコアネットワークネットワークエレメントに登録し、その結果、オペレータは、異なるタイプのＵＥに対して目標とされた管理及び保守を実行し、専用ネットワークの専用使用を実施することができ、それにより、膨大な量のＵＥにアクセスするためのモバイル管理及びセッション管理の効率を改善し、ネットワーク保守コストを削減する。
【０００４】
ＵＥが専用ネットワークに正常に登録された後に、もしＵＥが現在接続状態にあり、そして移動のために現在の専用ＣＮネットワークエレメントのサービスエリアを離れるならば、ＵＥをターゲットセル内のＣＮネットワークエレメントにハンドオーバするために、ハンドオーバ手順がトリガされる必要がある。専用ネットワークの専用使用のためのオペレータの要求によれば、ＵＥは、対応するＣＮタイプの専用コアネットワークに可能な限り登録され続ける必要があるため、ＵＥは、異なるＣＮタイプのＵＥに対して専用ネットワーク管理を実行する場合のオペレータの要求を満たすために、同じＣＮタイプのターゲットＣＮネットワークエレメントにハンドオーバされるべきである。
【０００５】
研究過程では、接続状態にあるＵＥがＵＥにサービスする現在の専用ＣＮネットワークエレメントのタイプと同じＣＮタイプのターゲット専用ＣＮネットワークエレメントにハンドオーバされることを、既存のハンドオーバ手順が保証することができず、異なるＣＮタイプのＵＥに対して専用ネットワーク管理を実行する場合のオペレータの要求が満たされることができない、ということが発見された。
【発明の概要】
【０００６】
本発明の実施例は、専用ネットワークタイプ通知方法、専用ネットワークハンドオーバ方法、及び装置を提供し、それにより、ＵＥが、ハンドオーバ処理中に、対応するＣＮタイプの専用ＣＮネットワークエレメントにハンドオーバされることを保証する。
【０００７】
本発明の実施例で提供される具体的な技術的解決法は下記の通りである。
【０００８】
第１の態様によれば、コアネットワークＣＮネットワークエレメント装置であって、第１の専用ＣＮネットワークエレメントにより送信されたユーザ装置ＵＥのＣＮタイプ情報を受信するように構成される受信モジュールであって、前記第１の専用ＣＮネットワークエレメントが、前記ＵＥがハンドオーバ処理中に位置するソースセルに対してサービスを提供する専用ＣＮネットワークエレメントである、前記受信モジュールと、前記受信モジュールにより受信された前記ＣＮタイプ情報に従って、前記ＣＮタイプ情報により示されるＣＮタイプをサポートする第２の専用ＣＮネットワークエレメントの識別子情報を判定するように構成される判定モジュールであって、前記第２の専用ＣＮネットワークエレメントが、前記ＵＥがハンドオーバを完了した後に位置するターゲットセルに対してサービスを提供する専用ＣＮネットワークエレメントである、前記判定モジュールと、前記判定モジュールにより判定された前記識別子情報に従って、前記ＵＥを前記識別子情報に対応する前記第２の専用ＣＮネットワークエレメントにハンドオーバするように構成されるハンドオーバモジュールとを含む、ＣＮネットワークエレメント装置が提供される。
【０００９】
第１の態様に関連して、第１の可能な実装例において、前記判定モジュールは、当該ＣＮネットワークエレメント装置によりサポートされているＣＮタイプに従って、当該ＣＮネットワークエレメント装置自体が前記ＣＮタイプ情報により示される前記ＣＮタイプをサポートしているかどうかを判定し、もし当該ＣＮネットワークエレメント装置自体が前記ＣＮタイプ情報により示される前記ＣＮタイプをサポートしているならば、当該ＣＮネットワークエレメント装置の識別子情報が前記第２の専用ＣＮネットワークエレメントの前記識別子情報であると判定し、もし当該ＣＮネットワークエレメント装置自体が前記ＣＮタイプ情報により示される前記ＣＮタイプをサポートしていないならば、前記ＣＮタイプ情報に従って、前記ＣＮタイプ情報により示される前記ＣＮタイプをサポートする前記第２の専用ＣＮネットワークエレメントの前記識別子情報を判定するように構成される。
【００１０】
第１の態様の第１の可能な実装例に関連して、第２の可能な実装例において、前記判定モジュールは、前記ＣＮタイプ情報に対応する専用ＣＮネットワークエレメントの識別子情報を構成情報から取得するとともに、前記専用ＣＮネットワークエレメントの前記識別子情報を、前記ＣＮタイプ情報により示される前記ＣＮタイプをサポートする前記第２の専用ＣＮネットワークエレメントの判定された前記識別子情報として使用し、前記構成情報が、前記ＵＥに対してサービスを提供することができる少なくとも１つの専用ＣＮネットワークエレメントの識別子情報とサポートされるＣＮタイプに関する情報との間の対応関係を含む、ように構成される。
【００１１】
第１の態様の第２の可能な実装例に関連して、第３の可能な実装例において、前記判定モジュールは、当該ＣＮネットワークエレメント装置から事前設定された前記構成情報を局所的に取得するように更に構成されるか、又は前記判定モジュールは、当該ＣＮネットワークエレメント装置が前記ＣＮタイプ情報により示される前記ＣＮタイプをサポートしていないと判定した後に、ドメインネームサーバに対してクエリを実行して前記構成情報を取得するように更に構成される。
【００１２】
第１の態様の第２の可能な実装例に関連して、第４の可能な実装例において、前記構成情報は、各専用ＣＮネットワークエレメントの識別子情報と各専用ＣＮネットワークエレメントによりサポートされるＣＮタイプに関する情報との間の対応関係であって、各専用ＣＮネットワークエレメントが、当該ＣＮネットワークエレメント装置が属するリソースプールに含まれる、前記対応関係を含む。
【００１３】
第１の態様から第４の可能な実装例のうちのいずれか１つに関連して、第５の可能な実装例において、前記受信モジュールは、前記第１の専用ＣＮネットワークエレメントにより送信された転送再配置要求メッセージを受信し、前記転送再配置要求メッセージが前記ＵＥの前記ＣＮタイプ情報を搬送する、ように構成される。
【００１４】
第１の態様の第５の可能な実装例に関連して、第６の可能な実装例において、前記識別子情報はアドレス情報であり、前記ハンドオーバモジュールは、前記アドレス情報に従って、前記転送再配置要求メッセージを前記アドレス情報に対応する前記第２の専用ＣＮネットワークエレメントに転送し、その結果、前記第２の専用ＣＮネットワークエレメントが転送再配置応答メッセージを前記第１の専用ＣＮネットワークエレメントに返信した後に、前記第１の専用ＣＮネットワークエレメントが前記ＵＥを前記第２の専用ＣＮネットワークエレメントにハンドオーバするように構成される。
【００１５】
第１の態様の第５の可能な実装例に関連して、第７の可能な実装例において、前記識別子情報は固有のネットワークエレメント識別子であり、前記ハンドオーバモジュールは、ターゲット基地局に再経路指定命令を送信し、前記再経路指定命令が、前記固有のネットワークエレメント識別子及び前記転送再配置要求メッセージを搬送し、その結果、前記ターゲット基地局が、前記固有のネットワークエレメント識別子に対応する前記第２の専用ＣＮネットワークエレメントに前記転送再配置要求メッセージを送信し、前記第２の専用ＣＮネットワークエレメントが転送再配置応答メッセージを前記第１の専用ＣＮネットワークエレメントに返信した後に、前記第１の専用ＣＮネットワークエレメントが前記ＵＥを前記第２の専用ＣＮネットワークエレメントにハンドオーバするように構成される。
【００１６】
第１の態様の第７の可能な実装例に関連して、第８の可能な実装例において、前記固有のネットワークエレメント識別子は、グローバル一意モビリティ管理エンティティ識別子又はネットワークリソース識別子である。
【００１７】
第２の態様によれば、専用ＣＮネットワークエレメント装置であって、ユーザ装置ＵＥがハンドオーバを完了した後に位置するターゲットセルに対してサービスを提供するターゲットＣＮネットワークエレメントを判定するとともに、前記ＵＥのＣＮタイプ情報を取得するように構成される取得モジュールと、転送再配置要求メッセージを前記ターゲットＣＮネットワークエレメントに送信するように構成される送信モジュールであって、前記転送再配置要求メッセージが前記取得モジュールにより取得された前記ＣＮタイプ情報を搬送する、前記送信モジュールとを含む、専用ＣＮネットワークエレメント装置が提供される。
【００１８】
第２の態様に関連して、第１の可能な実装例において、当該専用ＣＮネットワークエレメント装置は、前記ＵＥを前記ターゲットセルにハンドオーバするために使用されるとともに、ソース基地局により送信されるハンドオーバ要求メッセージを受信し、前記ソース基地局が、前記ＵＥがハンドオーバ処理中に位置するソースセルに対してサービスを提供する基地局である、ように構成される受信モジュールを更に含む。
【００１９】
第３の態様によれば、専用ネットワークハンドオーバ方法であって、ターゲットコアネットワークＣＮネットワークエレメントにより、第１の専用ＣＮネットワークエレメントにより送信されたユーザ装置ＵＥのＣＮタイプ情報を受信するステップであって、前記第１の専用ＣＮネットワークエレメントが、前記ＵＥがハンドオーバ処理中に位置するソースセルに対してサービスを提供する専用ＣＮネットワークエレメントである、ステップと、前記ターゲットＣＮネットワークエレメントにより、前記ＣＮタイプ情報に従って、前記ＣＮタイプ情報により示されるＣＮタイプをサポートする第２の専用ＣＮネットワークエレメントの識別子情報を判定するステップであって、前記第２の専用ＣＮネットワークエレメントが、前記ＵＥがハンドオーバを完了した後に位置するターゲットセルに対してサービスを提供する専用ＣＮネットワークエレメントである、ステップと、前記ターゲットＣＮネットワークエレメントにより、前記識別子情報に従って、前記ＵＥを前記識別子情報に対応する前記第２の専用ＣＮネットワークエレメントにハンドオーバするステップとを含む、方法が提供される。
【００２０】
第３の態様に関連して、第１の可能な実装例において、前記ターゲットＣＮネットワークエレメントにより、前記ＣＮタイプ情報に従って、前記ＣＮタイプ情報により示されるＣＮタイプをサポートする第２の専用ＣＮネットワークエレメントの識別子情報を判定する前記ステップは、前記ターゲットＣＮネットワークエレメントにより、前記ターゲットＣＮネットワークエレメント自体によりサポートされているＣＮタイプに従って、前記ターゲットＣＮネットワークエレメント自体が前記ＣＮタイプ情報により示される前記ＣＮタイプをサポートしているかどうかを判定するステップと、もし前記ターゲットＣＮネットワークエレメント自体が前記ＣＮタイプ情報により示される前記ＣＮタイプをサポートしているならば、前記ターゲットＣＮネットワークエレメントにより、前記ターゲットＣＮネットワークエレメント自体の識別子情報が前記第２の専用ＣＮネットワークエレメントの前記識別子情報であると判定するステップと、もし前記ターゲットＣＮネットワークエレメント自体が前記ＣＮタイプ情報により示される前記ＣＮタイプをサポートしていないならば、前記ターゲットＣＮネットワークエレメントにより、前記ＣＮタイプ情報に従って、前記ＣＮタイプ情報により示される前記ＣＮタイプをサポートする前記第２の専用ＣＮネットワークエレメントの前記識別子情報を判定するステップとを含む。
【００２１】
第３の態様の第１の可能な実装例に関連して、第２の可能な実装例において、前記ターゲットＣＮネットワークエレメントにより、前記ＣＮタイプ情報に従って、前記ＣＮタイプ情報により示されるＣＮタイプをサポートする第２の専用ＣＮネットワークエレメントの識別子情報を判定する前記ステップは、前記ターゲットＣＮネットワークエレメントにより、前記ＣＮタイプ情報に対応する専用ＣＮネットワークエレメントの識別子情報を構成情報から取得するとともに、前記専用ＣＮネットワークエレメントの前記識別子情報を、前記ＣＮタイプ情報により示される前記ＣＮタイプをサポートする前記第２の専用ＣＮネットワークエレメントの判定された前記識別子情報として使用するステップであって、前記構成情報が、前記ＵＥに対してサービスを提供することができる少なくとも１つの専用ＣＮネットワークエレメントの識別子情報とサポートされるＣＮタイプに関する情報との間の対応関係を含む、ステップを含む。
【００２２】
第３の態様の第２の可能な実装例に関連して、第３の可能な実装例において、前記構成情報は前記ターゲットＣＮネットワークエレメントに事前設定されるか、又は前記ターゲットＣＮネットワークエレメント自体が前記ＣＮタイプ情報により示される前記ＣＮタイプをサポートしていないと前記ターゲットＣＮネットワークエレメントが判定した後に、前記構成情報はドメインネームサーバに対してクエリを実行することにより取得される。
【００２３】
第３の態様の第２の可能な実装例に関連して、第４の可能な実装例において、前記構成情報は、各専用ＣＮネットワークエレメントの識別子情報と各専用ＣＮネットワークエレメントによりサポートされるＣＮタイプに関する情報との間の対応関係であって、各専用ＣＮネットワークエレメントが、前記ターゲットＣＮネットワークエレメントが属するリソースプールに含まれる、前記対応関係を含む。
【００２４】
第３の態様から第４の可能な実装例のうちのいずれか１つに関連して、第５の可能な実装例において、ターゲットコアネットワークＣＮネットワークエレメントにより、第１の専用ＣＮネットワークエレメントにより送信されたＵＥのＣＮタイプ情報を受信する前記ステップは、前記ターゲットＣＮネットワークエレメントにより、前記第１の専用ＣＮネットワークエレメントにより送信された転送再配置要求メッセージを受信するステップであって、前記転送再配置要求メッセージが前記ＵＥの前記ＣＮタイプ情報を搬送する、ステップを含む。
【００２５】
第３の態様の第５の可能な実装例に関連して、第６の可能な実装例において、前記識別子情報はアドレス情報であり、前記ターゲットＣＮネットワークエレメントにより、前記識別子情報に従って、前記ＵＥを前記識別子情報に対応する前記第２の専用ＣＮネットワークエレメントにハンドオーバする前記ステップは、前記ターゲットＣＮネットワークエレメントにより、前記アドレス情報に従って、前記転送再配置要求メッセージを前記アドレス情報に対応する前記第２の専用ＣＮネットワークエレメントに転送し、その結果、前記第２の専用ＣＮネットワークエレメントが転送再配置応答メッセージを前記第１の専用ＣＮネットワークエレメントに返信した後に、前記第１の専用ＣＮネットワークエレメントが前記ＵＥを前記第２の専用ＣＮネットワークエレメントにハンドオーバするステップを含む。
【００２６】
第３の態様の第５の可能な実装例に関連して、第７の可能な実装例において、前記識別子情報は固有のネットワークエレメント識別子であり、前記ターゲットＣＮネットワークエレメントにより、前記識別子情報に従って、前記ＵＥを前記識別子情報に対応する前記第２の専用ＣＮネットワークエレメントにハンドオーバする前記ステップは、前記ターゲットＣＮネットワークエレメントにより、ターゲット基地局に再経路指定命令を送信し、前記再経路指定命令が、前記固有のネットワークエレメント識別子及び前記転送再配置要求メッセージを搬送し、その結果、前記ターゲット基地局が、前記固有のネットワークエレメント識別子に対応する前記第２の専用ＣＮネットワークエレメントに前記転送再配置要求メッセージを送信し、前記第２の専用ＣＮネットワークエレメントが転送再配置応答メッセージを前記第１の専用ＣＮネットワークエレメントに返信した後に、前記第１の専用ＣＮネットワークエレメントが前記ＵＥを前記第２の専用ＣＮネットワークエレメントにハンドオーバするステップを含む。
【００２７】
第３の態様の第７の可能な実装例に関連して、第８の可能な実装例において、前記固有のネットワークエレメント識別子は、グローバル一意モビリティ管理エンティティ識別子又はネットワークリソース識別子である。
【００２８】
第４の態様によれば、専用ネットワークタイプ通知方法であって、第１の専用コアネットワークＣＮネットワークエレメントにより、ユーザ装置ＵＥがハンドオーバを完了した後に位置するターゲットセルに対してサービスを提供するターゲットＣＮネットワークエレメントを判定するとともに、前記ＵＥのＣＮタイプ情報を取得するステップであって、前記第１の専用ＣＮネットワークエレメントが、前記ＵＥがハンドオーバ処理中に位置するソースセルに対してサービスを提供する専用ＣＮネットワークエレメントである、ステップと、前記第１の専用ＣＮネットワークエレメントにより、転送再配置要求メッセージを前記ターゲットＣＮネットワークエレメントに送信するステップであって、前記転送再配置要求メッセージが前記ＣＮタイプ情報を搬送する、ステップとを含む、方法が提供される。
【００２９】
第４の態様に関連して、第１の可能な実装例において、第１の専用コアネットワークＣＮネットワークエレメントにより、ユーザ装置ＵＥが位置するターゲットセルに対してサービスを提供するターゲットＣＮネットワークエレメントを判定する前記ステップの前に、当該方法は、前記第１の専用ＣＮネットワークエレメントにより、前記ＵＥを前記ターゲットセルにハンドオーバするために使用されるとともに、前記ソースセルに対してサービスを提供するソース基地局により送信されるハンドオーバ要求メッセージを受信するステップを更に含む。
【００３０】
前述の技術的解決法に基づいて、本発明の実施例では、第１の専用ＣＮネットワークエレメントは、ＵＥのＣＮタイプ情報をターゲットＣＮネットワークエレメントに通知し、ターゲットＣＮネットワークエレメントは、ＵＥのＣＮタイプ情報に従って、ＵＥのＣＮタイプ情報により示されるＣＮタイプをサポートすることができる専用ＣＮネットワークエレメントを判定し、専用ＣＮネットワークエレメントの識別子情報を取得し、専用ＣＮネットワークエレメントの識別子情報を第２の専用ＣＮネットワークエレメントの識別子情報として使用するとともに、専用ＣＮネットワークエレメントの識別子情報に従って、ＵＥを対応する専用ＣＮネットワークエレメントにハンドオーバし、それは、ＵＥが、ハンドオーバ処理において、ＵＥのＣＮタイプをサポートする専用ＣＮネットワークエレメントにハンドオーバされ、ＵＥが、対応するＣＮタイプの専用ＣＮネットワークに登録され続け、それにより、専用ネットワークの専用使用のためのオペレータの要求を満たす、ことを保証する。
【図面の簡単な説明】
【００３１】
【図１】本発明の一実施例によるＣＮネットワークエレメント装置の概略構成図である。
【図２】本発明の一実施例によるＣＮネットワークエレメント装置の別の概略構成図である。
【図３】本発明の一実施例による専用ＣＮネットワークエレメント装置の概略構成図である。
【図４】本発明の一実施例による専用ＣＮネットワークエレメント装置の別の概略構成図である。
【図５】本発明の一実施例による、第１の専用ＣＮネットワークエレメントによりＵＥの専用ネットワークタイプを通知する方法の概略フローチャートである。
【図６】本発明の一実施例による、ＵＥを専用ネットワーク間でハンドオーバする方法の概略フローチャートである。
【図７】本発明の一実施例による、専用ＣＮネットワークハンドオーバを実行するフローチャートである。
【図８】本発明の一実施例による、専用ＣＮネットワークハンドオーバを実行する別のフローチャートである。
【図９】本発明の一実施例による、専用ＣＮネットワークハンドオーバを実行する別のフローチャートである。
【発明を実施するための形態】
【００３２】
本発明の目的、技術的解決法及び利点を、より明確にするために、下記は、添付図面を参照して、さらに本発明を詳細に説明する。明らかに、説明される実施例は本発明の実施例の全てではなく、単なる一部である。創作的な努力なしで本発明の実施例に基づいて当業者により獲得される他の全ての実施例は、本発明の保護範囲に含まれるものとする。
【００３３】
下記の実施例では、ＵＥは、下記のタイプのうちのいずれか１つであってもよく、ＵＥは静止していても移動していてもよい。ＵＥは、下記に限定されるものではないが、局（英語：Station）、移動局（英語：Mobile  Station）、加入者ユニット（英語：Subscriber  Unit）、パーソナルコンピュータ（英語：Personal  Computer）、ラップトップコンピュータ（英語：Laptop  Computer）、タブレットコンピュータ（英語：Tablet  Computer）、ネットブック（英語：Netbook）、端末（英語：Terminal）、セルラ電話（英語：Cellular  Phone）、ハンドヘルドデバイス（英語：Handheld）、コードレス電話（英語：Cordless  Phone）、携帯端末（英語：Personal  Digital  Assistant、略してＰＤＡ）、データカード（英語：Data  Card）、ユニバーサルシリアルバス（英語：Uninersal  Serial  Bus、略してＵＳＢ）プラグインデバイス、モバイルＷｉＦｉホットスポットデバイス（英語：MiFi  Devices）、スマートウォッチ、スマートメガネ、無線モデム（英語：Modem）、無線ルータ、ワイヤレスローカルループ（英語：Wireless  Local  Loop、略してＷＬＬ）などを含む。前述のＵＥは、無線ネットワーク全体に分散されてもよい。
【００３４】
本発明の実施例において、各ＵＥは、加入済みのＵＥタイプを有するとともに、各ＵＥタイプには、そのＵＥタイプに対応する専用ＣＮネットワークエレメントにより専用ネットワークサービスが提供される。ＵＥタイプは、ＵＥ使用タイプ、又はＵＥサービスタイプ、又は同じタイプの通信機能を有するＵＥを参照するために使用され得る他の全ての名前と呼ばれてもよく、名前は、ＣＮネットワークエレメント又は基地局により、ＵＥにサービスする専用ＣＮネットワークエレメントを選択するために使用される。専用ＣＮネットワークエレメントのＣＮタイプは、サービスされるＵＥのＵＥタイプである。もし専用ＣＮネットワークエレメントがＵＥタイプに対してサービスを提供することができるならば、専用ＣＮネットワークエレメントのＣＮタイプはＵＥタイプであるとともに、ＵＥに対して専用のネットワークサービスを提供する専用ＣＮネットワークエレメントのＣＮタイプは、ＵＥのＣＮタイプとも呼ばれる。理解されるように、ＣＮタイプ及びＵＥタイプは同等の概念であり、２つの概念は互換的に使用されてもよい。
【００３５】
例えば、もしＵＥのＵＥタイプが“マシンタイプ通信ＭＴＣ”であるならば、ＵＥに対してサービスを提供する専用ＣＮネットワークエレメントのＣＮタイプは“マシンタイプ通信ＭＴＣ”であるとともに、ＵＥのＣＮタイプは“マシンタイプ通信ＭＴＣ”である。
【００３６】
下記の実施例では、視覚的な説明を容易にするために、専用ＣＮネットワークエレメントのタイプを“ＣＮタイプ”と呼ぶが、しかし、専用ＣＮネットワークエレメントのタイプは、専用ＣＮネットワークエレメントによりサービスされるＵＥのＵＥタイプであるとともに、同じタイプの通信機能を有するＵＥを指すために使用される。当業者は、下記の実施例におけるＣＮタイプを、ＵＥタイプ、ＵＥ使用タイプ、ＵＥサービスタイプ、又は同じタイプの通信機能を有するＵＥを参照するために使用され得る他の全ての名前のうちの１つによって置き換えることにより、同等の保護範囲を有する同じ解決法が得られる、ということを理解するべきである。専用ＣＮネットワークエレメントは複数のＵＥタイプに同時にサービスすることができるので、専用ＣＮネットワークエレメントは複数のＣＮタイプを有することができる、ということが注意されるべきである。
【００３７】
本発明の適用シナリオは下記の通りである。ＵＥは専用ＣＮネットワークエレメントに首尾よく登録され、現在接続状態にあり、ＵＥが現在の専用ＣＮネットワークエレメントのサービスエリア外に移動するので、現在のサービング基地局は、ソース専用ＣＮネットワークエレメント（すなわち、現在の専用ＣＮネットワークエレメント）に、ＵＥをターゲットセルにハンドオーバするためのハンドオーバ手順をトリガすることを要求し、ハンドオーバ処理が実行される前に、ＵＥのＣＮタイプがターゲットＣＮネットワークエレメントに通知される必要があり、ここで、ターゲットＣＮネットワークエレメントは、既存のハンドオーバ処理におけるターゲットＣＮネットワークエレメントを選択する方法に従ってソース専用ＣＮネットワークエレメントにより選択されるとともに、ターゲットセルにサービスすることができる、ＣＮネットワークエレメントである。
【００３８】
従来技術では、ソース専用ＣＮネットワークエレメントは、ＵＥのＣＮタイプにサービスすることができる専用ターゲットＣＮネットワークエレメントを選択し、すなわち、ソース専用ＣＮネットワークエレメントは、ＵＥのＣＮタイプをサポートする専用ターゲットＣＮネットワークエレメントをハンドオーバ準備段階においてＵＥに対して選択するとともに、次に、ＵＥを選択されたターゲットＣＮネットワークエレメントにハンドオーバする。
【００３９】
ソース専用ＣＮネットワークエレメントに完全に依存することにより専用ターゲットＣＮネットワークエレメントを選択する方法に、下記の問題が存在することが発見された。
【００４０】
（１）専用ネットワークを導入する典型的なアプリケーションシナリオは、リソースプール（Pool）のシナリオであり、クロスプールハンドオーバの場合、全ての隣接するプールの各ＣＮネットワークエレメントによりサポートされるＣＮタイプに関する情報は、ソースプールの各ＣＮネットワークエレメントに対して設定される必要があり、１つのプールが複数の隣接するプールを有する可能性があり、各プールが複数のＣＮネットワークエレメントを有する可能性があることを考慮すると、設定には大きな作業負担を必要とするかもしれない。
【００４１】
（２）もしソース専用ＣＮネットワークエレメントがプール機能をサポートしていないが、しかしターゲットセルがプール内に位置しているならば、ソース専用ＣＮネットワークエレメントは、ターゲットネットワークエレメントとして、プールから１つの特定のＣＮネットワークエレメント（例えば、デフォルトＣＮネットワークエレメント）のみを選択することができるが、ターゲットＣＮネットワークエレメントのＣＮタイプは、ＵＥのＣＮタイプと一致しない場合がある。
【００４２】
したがって、本発明の実施例は、異なるＣＮタイプのＵＥに対して専用ネットワーク管理を実行するためのオペレータの要求を満たす新しい解決法を模索することを意図している。
【００４３】
下記の実施例では、第１の専用ＣＮネットワークエレメントは、ＵＥがハンドオーバ処理中に位置するソースセルに対してサービスを提供する専用ＣＮネットワークエレメント、すなわちソース専用ＣＮネットワークエレメントであり、第２の専用ＣＮネットワークエレメントは、ＵＥがハンドオーバを完了した後に位置するターゲットセルに対してサービスを提供する専用ＣＮネットワークエレメント、すなわちターゲット専用ＣＮネットワークエレメントであり、ソース基地局は、ハンドオーバ処理中にＵＥが位置するソースセルに対してサービスを提供する基地局であるとともに、ターゲット基地局は、ＵＥがハンドオーバを完了した後に位置するターゲットセルに対してサービスを提供する基地局である。
【００４４】
本発明の第１の実施例では、ターゲットＣＮネットワークエレメントの機能を実施するように構成されるＣＮネットワークエレメント装置が提供される。図１において示されるように、ＣＮネットワークエレメント装置は、主に、第１の専用ＣＮネットワークエレメントにより送信されたユーザ装置ＵＥのＣＮタイプ情報を受信するように構成される受信モジュール１０１と、受信モジュール１０１により受信されたＣＮタイプ情報に従って、ＣＮタイプ情報により示されるＣＮタイプをサポートする第２の専用ＣＮネットワークエレメントの識別子情報を判定するように構成される判定モジュール１０２と、判定モジュール１０２により判定された識別子情報に従って、ＵＥを識別子情報に対応する第２の専用ＣＮネットワークエレメントにハンドオーバするように構成されるハンドオーバモジュール１０３とを含む。
【００４５】
好ましくは、判定モジュール１０２は、ＣＮネットワークエレメント装置によりサポートされているＣＮタイプに従って、ＣＮネットワークエレメント装置自体がＣＮタイプ情報により示されるＣＮタイプをサポートしているかどうかを判定し、もしＣＮネットワークエレメント装置自体がＣＮタイプ情報により示されるＣＮタイプをサポートしているならば、ＣＮネットワークエレメント装置の識別子情報が第２の専用ＣＮネットワークエレメントの識別子情報であると判定し、もしＣＮネットワークエレメント装置自体がＣＮタイプ情報により示されるＣＮタイプをサポートしていないならば、ＣＮタイプ情報に従って、ＣＮタイプ情報により示されるＣＮタイプをサポートする第２の専用ＣＮネットワークエレメントの識別子情報を判定するように構成される。
【００４６】
好ましくは、判定モジュール１０２は、ＣＮタイプ情報に対応する専用ＣＮネットワークエレメントの識別子情報を構成情報から取得するとともに、専用ＣＮネットワークエレメントの識別子情報を、ＣＮタイプ情報により示されるＣＮタイプをサポートする第２の専用ＣＮネットワークエレメントの判定された識別子情報として使用し、構成情報が、ＵＥに対してサービスを提供することができる少なくとも１つの専用ＣＮネットワークエレメントの識別子情報とサポートされるＣＮタイプに関する情報との間の対応関係を含む、ように構成される。
【００４７】
特定の実装例において、判定モジュール１０２は、ＣＮネットワークエレメント装置から事前設定された構成情報を局所的に取得するか、又はＣＮネットワークエレメント装置がＣＮタイプ情報により示されるＣＮタイプをサポートしていないと判定した後に、判定モジュール１０２は、ドメインネームサーバに対してクエリを実行して構成情報を取得する。
【００４８】
特定の実装例において、もしＣＮネットワークエレメント装置がリソースプールに属しているならば、構成情報は、各専用ＣＮネットワークエレメントの識別子情報と各専用ＣＮネットワークエレメントによりサポートされるＣＮタイプに関する情報との間の対応関係であって、各専用ＣＮネットワークエレメントが、ＣＮネットワークエレメント装置が属するリソースプールに含まれる、対応関係を含む。
【００４９】
好ましくは、受信モジュール１０１は、第１の専用ＣＮネットワークエレメントにより送信された転送再配置要求メッセージを受信し、転送再配置要求メッセージがＵＥのＣＮタイプ情報を搬送する、ように構成される。
【００５０】
特定の実装例において、識別子情報はアドレス情報であり、ハンドオーバモジュール１０３は、アドレス情報に従って、転送再配置要求メッセージをアドレス情報に対応する第２の専用ＣＮネットワークエレメントに転送し、その結果、第２の専用ＣＮネットワークエレメントが転送再配置応答メッセージを第１の専用ＣＮネットワークエレメントに返信した後に、第１の専用ＣＮネットワークエレメントがＵＥを第２の専用ＣＮネットワークエレメントにハンドオーバするように構成される。
【００５１】
別の特定の実装例において、識別子情報は固有のネットワークエレメント識別子であり、ハンドオーバモジュール１０３は、ターゲット基地局に再経路指定命令を送信し、再経路指定命令が、固有のネットワークエレメント識別子及び転送再配置要求メッセージを搬送し、その結果、ターゲット基地局が、固有のネットワークエレメント識別子に対応する第２の専用ＣＮネットワークエレメントに転送再配置要求メッセージを送信し、第２の専用ＣＮネットワークエレメントが転送再配置応答メッセージを第１の専用ＣＮネットワークエレメントに返信した後に、第１の専用ＣＮネットワークエレメントがＵＥを第２の専用ＣＮネットワークエレメントにハンドオーバするように構成される。
【００５２】
具体的には、もし本発明が第４世代移動通信システムに適用されるならば、固有のネットワークエレメント識別子は、グローバル一意モビリティ管理エンティティ識別子である。
【００５３】
もし本発明が第２又は第３世代の移動通信システムに適用されるならば、固有のネットワークエレメント識別子は、ネットワークリソース識別子である。
【００５４】
本発明の第２の実施例では、ターゲットＣＮネットワークエレメントの機能を実施するように構成される別のＣＮネットワークエレメント装置が提供される。図２において示されるように、ＣＮネットワークエレメント装置は、主に、バスを使用することにより接続されたプロセッサ２０１と、メモリ２０２と、トランシーバ２０３とを含む。プロセッサ２０１は、メモリ２０２からプログラムを取得し、プログラムに従って特定の処理を実行するように構成され、トランシーバ２０３は、プロセッサ２０１の制御下でデータを受信するとともにデータを送信するように構成されており、具体的には下記の通りである。トランシーバ２０３は、第１の専用ＣＮネットワークエレメントにより送信されたユーザ装置ＵＥのＣＮタイプ情報を受信するように構成され、プロセッサ２０１は、トランシーバ２０３により受信されたＣＮタイプ情報に従って、ＣＮタイプ情報により示されるＣＮタイプをサポートする第２の専用ＣＮネットワークエレメントの識別子情報を判定するとともに、識別子情報に従って、ＵＥを識別子情報に対応する第２の専用ＣＮネットワークエレメントにハンドオーバするように構成される。
【００５５】
好ましくは、プロセッサ２０１は、ＣＮネットワークエレメント装置によりサポートされているＣＮタイプに従って、ＣＮネットワークエレメント装置自体がＣＮタイプ情報により示されるＣＮタイプをサポートしているかどうかを判定し、もしＣＮネットワークエレメント装置自体がＣＮタイプ情報により示されるＣＮタイプをサポートしているならば、ＣＮネットワークエレメント装置の識別子情報が第２の専用ＣＮネットワークエレメントの識別子情報であると判定し、もしＣＮネットワークエレメント装置自体がＣＮタイプ情報により示されるＣＮタイプをサポートしていないならば、ＣＮタイプ情報に従って、ＣＮタイプ情報により示されるＣＮタイプをサポートする第２の専用ＣＮネットワークエレメントの識別子情報を判定する。
【００５６】
好ましくは、プロセッサ２０１は、ＣＮタイプ情報に対応する専用ＣＮネットワークエレメントの識別子情報を構成情報から取得するとともに、専用ＣＮネットワークエレメントの識別子情報を、ＣＮタイプ情報により示されるＣＮタイプをサポートする第２の専用ＣＮネットワークエレメントの判定された識別子情報として使用し、ここで、構成情報は、ＵＥに対してサービスを提供することができる少なくとも１つの専用ＣＮネットワークエレメントの識別子情報とサポートされるＣＮタイプに関する情報との間の対応関係を含む。
【００５７】
好ましくは、プロセッサ２０１は、ＣＮネットワークエレメント装置から事前設定された構成情報を局所的に取得するか、又はＣＮネットワークエレメント装置がＣＮタイプ情報により示されるＣＮタイプをサポートしていないと判定した後に、ドメインネームサーバに対してクエリを実行して構成情報を取得する。
【００５８】
特定の実装例において、もしＣＮネットワークエレメント装置がリソースプールに属しているならば、構成情報は、各専用ＣＮネットワークエレメントの識別子情報と各専用ＣＮネットワークエレメントによりサポートされるＣＮタイプに関する情報との間の対応関係であって、各専用ＣＮネットワークエレメントが、ＣＮネットワークエレメント装置が属するリソースプールに含まれる、対応関係を具体的に含む。
【００５９】
好ましくは、トランシーバ２０３は、第１の専用ＣＮネットワークエレメントにより送信された転送再配置要求メッセージを受信し、ここで、転送再配置要求メッセージはＵＥのＣＮタイプ情報を搬送する。
【００６０】
特定の実装例において、識別子情報はアドレス情報であり、プロセッサ２０１は、アドレス情報に従って、転送再配置要求メッセージをアドレス情報に対応する第２の専用ＣＮネットワークエレメントに転送し、その結果、第２の専用ＣＮネットワークエレメントが転送再配置応答メッセージを第１の専用ＣＮネットワークエレメントに返信した後に、第１の専用ＣＮネットワークエレメントはＵＥを第２の専用ＣＮネットワークエレメントにハンドオーバする。
【００６１】
別の特定の実装例において、識別子情報は固有のネットワークエレメント識別子であり、プロセッサ２０１は、ターゲット基地局に再経路指定命令を送信し、ここで、再経路指定命令は、固有のネットワークエレメント識別子及び転送再配置要求メッセージを搬送し、その結果、ターゲット基地局は、固有のネットワークエレメント識別子に対応する第２の専用ＣＮネットワークエレメントに転送再配置要求メッセージを送信し、第２の専用ＣＮネットワークエレメントが転送再配置応答メッセージを第１の専用ＣＮネットワークエレメントに返信した後に、第１の専用ＣＮネットワークエレメントはＵＥを第２の専用ＣＮネットワークエレメントにハンドオーバする。
【００６２】
好ましくは、もし本発明が第４世代移動通信システムに適用されるならば、固有のネットワークエレメント識別子は、グローバル一意モビリティ管理エンティティ識別子である。
【００６３】
もし本発明が第２又は第３世代の移動通信システムに適用されるならば、固有のネットワークエレメント識別子は、ネットワークリソース識別子である。
【００６４】
本発明の第３の実施例では、ソース専用ＣＮネットワークエレメントの機能を実施するように構成される専用ＣＮネットワークエレメント装置が提供される。図３において示されるように、専用ＣＮネットワークエレメント装置は、主に、ユーザ装置ＵＥがハンドオーバを完了した後に位置するターゲットセルに対してサービスを提供するターゲットＣＮネットワークエレメントを判定するとともに、ＵＥのＣＮタイプ情報を取得するように構成される取得モジュール３０１と、転送再配置要求メッセージをターゲットＣＮネットワークエレメントに送信するように構成される送信モジュールであって、転送再配置要求メッセージが取得モジュール３０１により取得されたＣＮタイプ情報を搬送する、送信モジュール３０２とを含む。
【００６５】
好ましくは、専用ＣＮネットワークエレメント装置は、ユーザ装置ＵＥが位置するターゲットセルに対してサービスを提供するターゲットＣＮネットワークエレメントを取得モジュール３０１が判定する前に、ＵＥをターゲットセルにハンドオーバするために使用されるとともに、ソース基地局により送信されるハンドオーバ要求メッセージを受信するように構成される受信モジュール３０３を更に含む。
【００６６】
本発明の第４の実施例では、ソース専用ＣＮネットワークエレメントの機能を実施するように構成される別の専用ＣＮネットワークエレメント装置が提供される。図４において示されるように、専用ＣＮネットワークエレメント装置は、主に、バスを使用することにより接続されたプロセッサ４０１と、メモリ４０２と、トランシーバ４０３とを含む。プロセッサ４０１は、メモリ４０２からプログラムを取得し、プログラムに従って特定の処理を実行するように構成され、トランシーバ４０３は、プロセッサ４０１の制御下でデータを受信するとともにデータを送信するように構成されており、具体的には下記の通りである。プロセッサ４０１は、ユーザ装置ＵＥがハンドオーバを完了した後に位置するターゲットセルに対してサービスを提供するターゲットＣＮネットワークエレメントを判定するとともに、ＵＥのＣＮタイプ情報を取得するように構成され、トランシーバ４０３は、転送再配置要求メッセージをターゲットＣＮネットワークエレメントに送信するように構成され、ここで、転送再配置要求メッセージはプロセッサ４０１により取得されたＣＮタイプ情報を搬送する。
【００６７】
好ましくは、トランシーバ４０３は、ユーザ装置ＵＥが位置するターゲットセルに対してサービスを提供するターゲットＣＮネットワークエレメントをプロセッサ４０１が判定する前に、ＵＥをターゲットセルにハンドオーバするために使用されるとともに、ソース基地局により送信されるハンドオーバ要求メッセージを受信するように更に構成される。
【００６８】
本発明の第５の実施例では、図５において示されるように、第１の専用ＣＮネットワークエレメントがＵＥの専用ネットワークタイプを通知する詳細な方法手順は、下記を含む。
【００６９】
ステップ５０１：第１の専用ＣＮネットワークエレメントが、ＵＥがハンドオーバを完了した後に位置するターゲットセルに対してサービスを提供するターゲットＣＮネットワークエレメントを判定し、ＵＥのＣＮタイプ情報を取得する。
【００７０】
ターゲットＣＮネットワークエレメントは、既存のハンドオーバ手順におけるターゲットＣＮネットワークエレメントを選択する方法に従って、第１の専用ＣＮネットワークエレメントにより選択されるとともに、ターゲットＣＮネットワークエレメントは、ＣＮタイプがＵＥのＣＮタイプと一致する専用ＣＮネットワークエレメントではない場合がある。
【００７１】
ＵＥがハンドオーバを完了した後に位置するターゲットセルに対してサービスを提供するターゲットＣＮネットワークエレメントを第１の専用ＣＮネットワークエレメントが判定する前に、第１の専用ＣＮネットワークエレメントは、ＵＥをターゲットセルにハンドオーバするために使用されるとともに、ソース基地局により送信されるハンドオーバ要求メッセージを受信する。
【００７２】
具体的には、ＵＥが第１の専用ＣＮネットワークエレメントが位置するネットワークに登録されているので、第１の専用ＣＮネットワークエレメントは、ＵＥのＣＮタイプ情報を記憶する。
【００７３】
ステップ５０２：第１の専用ＣＮネットワークエレメントが、転送再配置要求メッセージをターゲットＣＮネットワークエレメントに送信し、ここで、転送再配置要求メッセージはＵＥのＣＮタイプ情報を搬送する。
【００７４】
ターゲットＣＮネットワークエレメントは、ＵＥのＣＮタイプに従って、ＣＮタイプをサポートすることができる専用ＣＮネットワークエレメントを判定し、その結果、ＵＥは、対応するＣＮタイプの専用ＣＮネットワークエレメントに登録され続ける。
【００７５】
本発明の第６の実施例では、図６において示されるように、ＵＥが専用ネットワーク間でハンドオーバされる詳細な方法手順は下記の通りである。
【００７６】
ステップ６０１：ターゲットＣＮネットワークエレメントが、第１の専用ＣＮネットワークエレメントにより送信されたＵＥのＣＮタイプ情報を受信する。
【００７７】
好ましくは、ターゲットＣＮネットワークエレメントは、第１の専用ＣＮネットワークエレメントにより送信された転送再配置要求メッセージを受信し、ここで、転送再配置要求メッセージはＵＥのＣＮタイプ情報を搬送する。
【００７８】
ステップ６０２：ターゲットＣＮネットワークエレメントが、ＣＮタイプ情報に従って、ＣＮタイプ情報により示されるＣＮタイプをサポートする第２の専用ＣＮネットワークエレメントの識別子情報を判定する。
【００７９】
好ましくは、ターゲットＣＮネットワークエレメントは、ＵＥのＣＮタイプ情報に対応する専用ＣＮネットワークエレメントの識別子情報を構成情報から取得するとともに、専用ＣＮネットワークエレメントの識別子情報を、ＣＮタイプ情報により示されるＣＮタイプをサポートする第２の専用ＣＮネットワークエレメントの判定された識別子情報として使用し、ここで、構成情報は、ＵＥに対してサービスを提供することができる少なくとも１つの専用ＣＮネットワークエレメントの識別子情報と少なくとも１つの専用ＣＮネットワークエレメントによりサポートされるＣＮタイプに関する情報との間の対応関係を含む。
【００８０】
具体的には、構成情報は、ＵＥが現在位置している位置に対してサービスを提供することができる少なくとも１つの専用ＣＮネットワークエレメントの識別子情報と少なくとも１つの専用ＣＮネットワークエレメントによりサポートされるＣＮタイプとの間の対応関係を含み、ＵＥが現在位置している位置に関する情報は、ターゲットセルから取得され得る。
【００８１】
好ましくは、もしターゲットＣＮネットワークエレメントがリソースプールに属しているならば、構成情報は、各専用ＣＮネットワークエレメントの識別子情報と各専用ＣＮネットワークエレメントによりサポートされるＣＮタイプに関する情報との間の対応関係であって、各専用ＣＮネットワークエレメントが、ターゲットＣＮネットワークエレメントが属するリソースプールに含まれる、対応関係を含む。
【００８２】
好ましくは、ターゲットＣＮネットワークエレメントは、ターゲットＣＮネットワークエレメント自体によりサポートされているＣＮタイプに従って、ターゲットＣＮネットワークエレメント自体がＣＮタイプ情報により示されるＣＮタイプをサポートしているかどうかを判定し、もしターゲットＣＮネットワークエレメント自体がＣＮタイプ情報により示されるＣＮタイプをサポートしているならば、ターゲットＣＮネットワークエレメントは、ターゲットＣＮネットワークエレメント自体の識別子情報が第２の専用ＣＮネットワークエレメントの識別子情報であると判定し、もしターゲットＣＮネットワークエレメント自体がＣＮタイプ情報により示されるＣＮタイプをサポートしていないならば、ターゲットＣＮネットワークエレメントは、ＵＥのＣＮタイプ情報に従って、ＣＮタイプ情報により示されるＣＮタイプをサポートする第２の専用ＣＮネットワークエレメントの識別子情報を判定する。具体的には、ターゲットＣＮネットワークエレメントが、ターゲットＣＮネットワークエレメント自体がＣＮタイプ情報により示されるＣＮタイプをサポートしていないと判定した場合に、ターゲットＣＮネットワークエレメントは、構成情報から、ＵＥのＣＮタイプ情報に従って、ＵＥのＣＮタイプ情報に対応する専用ＣＮネットワークエレメントの一片の識別子情報を取得するとともに、専用ＣＮネットワークエレメントの一片の識別子情報を、第２の専用ＣＮネットワークエレメントの識別子情報として使用する。
【００８３】
好ましくは、構成情報を取得する方法は、下記の２つの実施方法を含むが、これに限定されない。
【００８４】
第１の実施方法では、構成情報はターゲットＣＮネットワークエレメントに事前設定されるとともに、ターゲットＣＮネットワークエレメントにより直接かつ局所的に取得される。
【００８５】
第２の実施方法では、ターゲットＣＮネットワークエレメントがＣＮタイプ情報により示されるＣＮタイプをサポートしていないと判定した後に、構成情報は、ターゲットＣＮネットワークエレメントによって、ドメインネームサーバに対してクエリを実行することにより取得される。
【００８６】
具体的には、第２の実施方法に対応して、ターゲットＣＮネットワークエレメントがドメインネームサーバに対してクエリを実行することにより構成情報を取得する特定の処理は下記の通りである。
【００８７】
ターゲットＣＮネットワークエレメント自体がＵＥのＣＮタイプ情報により示されるＣＮタイプをサポートしていないと判定した場合、ターゲットＣＮネットワークエレメントは、ドメインネームサーバに対してクエリ要求を開始し、ここで、クエリ要求は、ＵＥが位置する位置エリアに対してサービスを提供することができる全ての専用ＣＮネットワークエレメントの構成情報を問い合わせるために使用される。ドメインネームサーバは、クエリ要求に従って、ターゲットＣＮネットワークエレメントに構成情報を返し、ここで、構成情報は、ＵＥが位置する位置エリアに対してサービスを提供することができる全ての専用ＣＮネットワークエレメントの識別子情報と専用ＣＮネットワークエレメントによりサポートされるＣＮタイプに関する情報との間の対応関係を含む。
【００８８】
ステップ６０３：ターゲットＣＮネットワークエレメントが、第２の専用ＣＮネットワークエレメントの判定された識別子情報に従って、ＵＥを識別子情報に対応する第２の専用ＣＮネットワークエレメントにハンドオーバする。
【００８９】
特定の実装例において、第２の専用ＣＮネットワークエレメントの判定された識別子情報は、第２の専用ＣＮネットワークエレメントのアドレス情報であり得るか、又は第２の専用ＣＮネットワークエレメントの固有のネットワークエレメント識別子であり得る。
【００９０】
特定の実装例において、もし第２の専用ＣＮネットワークエレメントの判定された識別子情報が第２の専用ＣＮネットワークエレメントのアドレス情報であるならば、ターゲットＣＮネットワークエレメントが、ＵＥを第２の専用ＣＮネットワークエレメントの判定された識別子情報に対応する専用ＣＮネットワークエレメントにハンドオーバする特定の処理は、下記の通りである。
【００９１】
ターゲットＣＮネットワークエレメントは、第２の専用ＣＮネットワークエレメントの判定されたアドレス情報に従って、アドレス情報に対応する第２の専用ＣＮネットワークエレメントに転送再配置要求メッセージを転送し、第１の専用ＣＮネットワークエレメントは、第２の専用ＣＮネットワークエレメントが転送再配置応答メッセージを第１の専用ＣＮネットワークエレメントに返信した後に、ＵＥを第２の専用ＣＮネットワークエレメントにハンドオーバする。
【００９２】
具体的には、第２の専用ＣＮネットワークエレメントは、ハンドオーバ要求メッセージをターゲット基地局に送信し、ターゲット基地局から応答されたハンドオーバ要求確認応答メッセージを受信するとともに、転送再配置応答メッセージを第１の専用ＣＮネットワークエレメントに転送し、第１の専用ＣＮネットワークエレメントは、ＵＥを第２の専用ＣＮネットワークエレメントにハンドオーバする。
【００９３】
別の特定の実装例において、もし第２の専用ＣＮネットワークエレメントの判定された識別子情報が第２の専用ＣＮネットワークエレメントの固有のネットワークエレメント識別子であるならば、ターゲットＣＮネットワークエレメントが、ＵＥを第２の専用ＣＮネットワークエレメントの判定された識別子情報に対応する第２の専用ＣＮネットワークエレメントにハンドオーバーする特定の処理は、下記の通りである。
【００９４】
ターゲットＣＮネットワークエレメントは、ターゲット基地局に再経路指定命令を送信し、ここで、再経路指定命令は、第２の専用ＣＮネットワークエレメントの判定された固有のネットワークエレメント識別子及び転送再配置要求メッセージを搬送する。ターゲット基地局は、固有のネットワークエレメント識別子に対応する第２の専用ＣＮネットワークエレメントに転送再配置要求メッセージを送信する。第２の専用ＣＮネットワークエレメントが転送再配置応答メッセージを第１の専用ＣＮネットワークエレメントに返信した後に、第１の専用ＣＮネットワークエレメントは、ＵＥを固有のネットワークエレメント識別子に対応する第２の専用ＣＮネットワークエレメントにハンドオーバする。
【００９５】
もし本発明が第４世代移動通信システムに適用されるならば、第２の専用ＣＮネットワークエレメントの判定された固有のネットワークエレメント識別子は、第２の専用ＣＮネットワークエレメントのグローバル一意モビリティ管理エンティティ識別子である。
【００９６】
もし本発明が第２又は第３世代の移動通信システムに適用されるならば、第２の専用ＣＮネットワークエレメントの判定された固有のネットワークエレメント識別子は、第２の専用ＣＮネットワークエレメントのネットワークリソース識別子である。
【００９７】
下記では、３つの特定の実施例を使用して、本発明のこの実施例で提供される専用ＣＮネットワークハンドオーバ処理を詳細に説明する。
【００９８】
実際のアプリケーションでは、本発明の実施例における専用ＣＮネットワークエレメントは、第２世代移動通信システム（２Ｇ）ネットワーク、第３世代移動通信システム（３Ｇ）ネットワーク、及び４Ｇネットワークに配置されるとともに、回線交換（ＣＳ）ドメイン及びパケット交換（ＰＳ）ドメインをカバーすることができる。説明を容易にするために、具体的な３つの実施例は、第４世代移動通信システム（４Ｇ）、例えばロングタームエボリューション（ＬＴＥ）システムのみを一例として使用することにより説明されるとともに、ＣＮネットワークエレメントがモビリティ管理エンティティ（ＭＭＥ）である一例を使用することにより説明される。
【００９９】
第１の特定の実施例では、図７において示されるように、専用ＣＮネットワークハンドオーバを実行する特定の処理は下記の通りである。
【０１００】
ステップ７０１：ＵＥがソース専用ネットワークに首尾よく登録され、ＵＥは現在接続状態にあり、ＵＥが現在の専用ＣＮネットワークエレメント（専用ＭＭＥ）のサービスエリア外に移動するので、ソース基地局（ｅＮｏｄｅＢ）がＵＥをターゲットセルにハンドオーバするためにハンドオーバ手順をトリガし、ソースｅＮｏｄｅＢがソース専用ＭＭＥにハンドオーバ要求（Handover  Required）メッセージを送信する。
【０１０１】
ステップ７０２：ソース専用ＭＭＥが、既存のハンドオーバ処理におけるターゲットＭＭＥを選択する方法に従って、ターゲットセルにサービスするターゲットＭＭＥを選択するとともに、ターゲットＭＭＥに転送再配置要求（Forward  Relocation  Request）メッセージを送信し、ここで、転送再配置要求メッセージはＵＥのＣＮタイプ情報を搬送する。
【０１０２】
ＵＥが専用ネットワークに登録されているので、ＵＥのＣＮタイプ情報は、ソース専用ＭＭＥに記憶される。
【０１０３】
ステップ７０３：ターゲットＭＭＥは、まず、ターゲットＭＭＥ自体がＣＮタイプ情報により示されるＣＮタイプにサービスすることができるか、すなわち、ターゲットＭＭＥ自体によりサポートされるＣＮタイプがＵＥのＣＮタイプと一致するかどうかをチェックし、もしターゲットＭＭＥによりサポートされるＣＮタイプがＵＥのＣＮタイプと一致するならば、通常のハンドオーバ手順に従ってＵＥをターゲットＭＭＥにハンドオーバし、そうでなければ、ＵＥのＣＮタイプ情報に従って、ＵＥに対してサービスを提供するとともに、ＵＥのＣＮタイプ情報により示されるＣＮタイプをサポートすることができるターゲット専用ＭＭＥ（Dedicated  MME）のアドレス情報を判定する。
【０１０４】
具体的には、ターゲットＭＭＥは、構成情報からＵＥのＣＮタイプ情報に対応するターゲット専用ＣＮネットワークエレメントのアドレス情報を取得し、ここで、構成情報は、
ＵＥが現在位置している位置エリアに対してサービスを提供することができる少なくとも１つの専用ＭＭＥのアドレス情報と少なくとも１つの専用ＭＭＥによりサポートされるＣＮタイプに関する情報との間の対応関係を含む。
【０１０５】
もしターゲットＭＭＥがＭＭＥリソースプール（MME  Pool）に属する場合、構成情報は、プールの各ＭＭＥによりサポートされるＣＮタイプに関する情報とＭＭＥのアドレス情報との間の対応関係を含む必要があり、その結果、ＣＮタイプ情報を使用することによりＭＭＥに対応するアドレス情報が判定されることができる。
【０１０６】
ステップ７０４：ターゲットＭＭＥは、転送再配置要求メッセージを選択されたターゲット専用ＭＭＥに転送する。
【０１０７】
ステップ７０５：選択されたターゲット専用ＭＭＥについては、転送再配置要求メッセージが、ソース専用ＭＭＥから直接受信され、次に、選択されたターゲット専用ＭＭＥが、ターゲットｅＮｏｄｅＢにハンドオーバ要求（Handover  Request）メッセージを送信して、ＵＥ用のコンテキスト及びエアインタフェースベアラリソースの確立を要求し、ターゲットｅＮｏｄｅＢは、選択されたターゲット専用ＭＭＥにハンドオーバ要求確認応答（Handover  Request  Acknowledge）メッセージを返信する、と言うことができる。
【０１０８】
ステップ７０６：選択されたターゲット専用ＭＭＥは、ソース専用ＭＭＥに転送再配置応答（Forward  Relocation  Response）メッセージを直接返信する。
【０１０９】
ソース専用ＭＭＥは、後続のＰＳドメインハンドオーバ手順を実行することを継続し、ＵＥをＵＥのＣＮタイプと同じＣＮタイプを有するターゲット専用ＭＭＥにハンドオーバする。
【０１１０】
もしターゲットセルがＭＭＥリソースプール（MME  Pool）内に位置するならば、ターゲットＭＭＥは、プールからのみ専用ＭＭＥを選択する。もしプール内に対応する専用ＭＭＥが存在しないならば、ターゲットＭＭＥは、通常のハンドオーバ手順に従ってハンドオーバを実行して、ＵＥをターゲットＭＭＥにハンドオーバし、それは、ＵＥが専用のネットワークサービスを提供できないセルに入ることを示す。
【０１１１】
第２の特定の実施例では、図８において示されるように、専用ＣＮネットワークハンドオーバを実行する特定の処理は下記の通りである。
【０１１２】
ステップ８０１及びステップ８０２は、上述の第１の特定の実施例におけるステップ７０１及びステップ７０２と全く同じであり、ここでは繰り返されない。
【０１１３】
ステップ８０３：ターゲットＭＭＥは、まず、ターゲットＭＭＥがＣＮタイプ情報により示されるＣＮタイプにサービスすることができるか、すなわち、ターゲットＭＭＥ自体によりサポートされるＣＮタイプがＵＥのＣＮタイプと一致するかどうかをチェックし、もしターゲットＭＭＥによりサポートされるＣＮタイプがＵＥのＣＮタイプと一致するならば、通常のハンドオーバ手順に従ってＵＥをターゲットＭＭＥにハンドオーバし、そうでなければ、ＵＥのＣＮタイプ情報に従って、ＵＥに対してサービスを提供するとともに、ＵＥのＣＮタイプをサポートすることができるターゲット専用ＣＮネットワークエレメントを判定し、ステップ８０４を実行する。
【０１１４】
具体的には、ＣＮタイプ情報に対応するターゲット専用ＭＭＥの固有のネットワークエレメント識別子が、ＵＥのＣＮタイプ情報に従って構成情報から取得され、ここで、事前設定された構成情報は、ＵＥが現在位置している位置エリアに対してサービスを提供することができる少なくとも１つの専用ＭＭＥの固有のネットワーク要素識別子と少なくとも１つの専用ＭＭＥによりサポートされるＣＮタイプに関する情報との間の対応関係を含む。
【０１１５】
４ＧＬＴＥネットワークの場合に、固有のネットワークエレメント識別子は、グローバル一意ＭＭＥ識別子（Globally  Unique  MME  Identifier、ＧＵＭＭＥＩ）であり、２Ｇ／３Ｇネットワークの場合に、固有のネットワークエレメント識別子は、ネットワークリソース識別子（Network  Resource  Identifier、ＮＲＩ）である。
【０１１６】
オペレータは、配置された専用ネットワークの各専用ＣＮネットワークエレメントに固有のネットワークエレメント識別子を設定する必要があり、ここで、固有のネットワークエレメント識別子は、対応する専用ＣＮネットワークエレメントを選択するために使用される、ということが注意されるべきである。例えば、特定量のＧＵＭＭＥＩは、専用ＭＭＥ用に予約されており、特定量のＮＲＩは、専用ＳＧＳＮ用に予約されている。
【０１１７】
ステップ８０４：ターゲットＭＭＥは、ターゲットｅＮｏｄｅＢに対する再経路指定命令（Reroute  Command）を開始し、ここで、命令は、ターゲット専用ＭＭＥの割り当てられたＧＵＭＭＥＩ、及びターゲット専用ＭＭＥから受信された転送再配置要求メッセージを搬送する。
【０１１８】
ステップ８０５及びステップ８０６：ターゲットｅＮｏｄｅＢは、ＧＵＭＭＥＩに従ってターゲット専用ＭＭＥを選択するとともに、選択されたターゲット専用ＭＭＥに転送再配置要求メッセージを転送する。
【０１１９】
ステップ８０７：選択されたターゲット専用ＭＭＥについては、転送再配置要求メッセージが、ソース専用ＭＭＥから直接受信され、次に、選択されたターゲット専用ＭＭＥが、ターゲットｅＮｏｄｅＢにハンドオーバ要求（Handover  Request）メッセージを送信して、ＵＥ用のコンテキスト及びエアインタフェースベアラリソースの確立を要求し、ターゲットｅＮｏｄｅＢは、選択されたターゲット専用ＭＭＥにハンドオーバ要求確認応答（Handover  Request  Acknowledge）メッセージを返信する、と言うことができる。
【０１２０】
ステップ８０８：選択されたターゲット専用ＭＭＥは、ソース専用ＭＭＥに転送再配置応答（Forward  Relocation  Response）メッセージを直接返信するとともに、ソース専用ＭＭＥは、後続のＰＳドメインハンドオーバ手順を実行することを継続し、ＵＥをＵＥのＣＮタイプと同じＣＮタイプを有する専用ＭＭＥにハンドオーバする。
【０１２１】
もしターゲットセルがＭＭＥリソースプール内に位置するならば、ターゲットＭＭＥは、リソースプールからのみ専用のＭＭＥを選択する。もし対応する専用ＭＭＥがリソースプール内に存在しないならば、ターゲットｅＮｏｄｅＢは、転送再配置要求メッセージをターゲットＭＭＥに送信し、ターゲットＭＭＥは、通常のハンドオーバ手順に従って、ＵＥをターゲットＭＭＥ自体にハンドオーバし、それは、ＵＥが専用のネットワークサービスを提供できないセルに入ることを示す。
【０１２２】
第３の特定の実施例では、図９において示されるように、専用ＣＮネットワークハンドオーバを実行する特定の処理は下記の通りである。
【０１２３】
ステップ９０１及びステップ９０２は、上述の第１の特定の実施例におけるステップ７０１及びステップ７０２と全く同じであり、ここでは繰り返されない。
【０１２４】
ステップ９０３：ターゲットＭＭＥは、まず、ターゲットＭＭＥがＣＮタイプ情報により示されるＣＮタイプにサービスすることができるか、すなわち、ターゲットＭＭＥ自体によりサポートされるＣＮタイプがＵＥのＣＮタイプと一致するかどうかをチェックし、もしターゲットＭＭＥによりサポートされるＣＮタイプがＵＥのＣＮタイプと一致するならば、通常のハンドオーバ手順に従ってＵＥをターゲットＭＭＥにハンドオーバし、そうでなければ、ターゲットＭＭＥは、ドメインネームサーバ（Domain  Name  Server、ＤＮＳ）に対して通常のクエリ要求を開始して、ＵＥが現在位置している位置エリアにサービスすることができる全てのＭＭＥのアドレス情報を検索する。
【０１２５】
ステップ９０４：ＤＮＳは、要求された位置エリア情報に従って、位置エリアにサービスするＭＩＭＥのリスト情報を返し、ここで、各ＭＭＥのアドレス情報に加えて、リスト情報は、各ＭＭＥによりサポートされるＣＮタイプに関する情報を含む。
【０１２６】
ステップ９０５：ターゲットＭＭＥは、ＵＥのＣＮタイプ情報をＤＮＳにより返されたＭＭＥリスト情報におけるＣＮタイプ情報と照合して、ＵＥのＣＮタイプ情報と一致するＭＭＥのアドレス情報を見つけ出し、ＭＭＥをターゲット専用ＭＭＥとして選択する。
【０１２７】
ステップ９０６：ターゲットＭＭＥは、転送再配置要求メッセージを選択されたターゲット専用ＭＭＥに転送する。
【０１２８】
ステップ９０７：選択されたターゲット専用ＭＭＥについては、転送再配置要求メッセージが、ソース専用ＭＭＥから直接受信され、次に、選択されたターゲット専用ＭＭＥが、ターゲットｅＮｏｄｅＢにハンドオーバ要求（Handover  Request）メッセージを送信して、ＵＥ用のコンテキスト及びエアインタフェースベアラリソースの確立を要求し、ターゲットｅＮｏｄｅＢは、選択されたターゲット専用ＭＭＥにハンドオーバ要求確認応答（Handover  Request  Acknowledge）メッセージを返信する、と言うことができる。
【０１２９】
ステップ９０８：選択されたターゲット専用ＭＭＥは、ソース専用ＭＭＥに転送再配置応答（Forward  Relocation  Response）メッセージを直接返信するとともに、ソース専用ＭＭＥは、後続のＰＳドメインハンドオーバ手順を実行することを継続し、ＵＥをＵＥのＣＮタイプと同じＣＮタイプを有する選択されたターゲット専用ＭＭＥにハンドオーバする。
【０１３０】
もしターゲットセルがＭＭＥリソースプール内に位置するならば、ターゲットＭＭＥは、リソースプールからのみ専用のＭＭＥを選択するとともに、もし対応する専用ＭＭＥがリソースプール内に存在しないならば、ターゲットＭＭＥは、通常のハンドオーバ手順に従ってハンドオーバを実行して、ＵＥをターゲットＭＭＥにハンドオーバし、それは、ＵＥが専用のネットワークサービスを提供できないセルに入ることを示す。
【０１３１】
前述の技術的解決法に基づくと、本発明の実施例では、第１の専用ＣＮネットワークエレメントは、ＵＥのＣＮタイプ情報をターゲットＣＮネットワークエレメントに通知し、ターゲットＣＮネットワークエレメントは、ＵＥのＣＮタイプ情報に従って、ＵＥのＣＮタイプ情報により示されるＣＮタイプをサポートすることができる第２の専用ＣＮネットワークエレメントを判定し、第２の専用ＣＮネットワークエレメントの識別子情報を取得するとともに、第２の専用ＣＮネットワークエレメントの識別子情報に従って、ＵＥを対応する専用ＣＮネットワークエレメントにハンドオーバし、それは、ＵＥが、ハンドオーバ処理において、ＵＥのＣＮタイプをサポートする専用ＣＮネットワークエレメントにハンドオーバされ、ＵＥが、対応するＣＮタイプの専用ＣＮネットワークに登録され続け、それにより、専用ネットワークの専用使用のためのオペレータの要求を満たす、ことを保証する。
【０１３２】
当業者は、本発明の実施例が、方法、システム、又はコンピュータプログラム製品として提供され得ることを理解するべきである。したがって、本発明は、ハードウェアのみの実施例、ソフトウェアのみの実施例、又は、ソフトウェアとハードウェアの組み合わせによる実施例の形式を使用し得る。さらに、本発明は、コンピュータが使用可能なプログラムコードを含む（ディスクメモリ、光メモリなどを含むが、それに限定されない）１つ又は複数のコンピュータが使用可能な記憶媒体によって実施されるコンピュータプログラム製品の形式を使用し得る。
【０１３３】
本発明は、本発明の実施例による方法、装置（システム）、並びにコンピュータプログラム製品のフローチャート及び／又は構成図を参照して説明される。コンピュータプログラム命令が、フローチャート及び／又は構成図における各処理及び／又は各ブロック、並びにフローチャート及び／又は構成図における処理及び／又はブロックの組み合わせを実施するために使用され得る、ということが理解されるべきである。これらのコンピュータプログラム命令は、機械を生成するために、汎用コンピュータ、専用コンピュータ、埋込み型プロセッサ、又はあらゆる他のプログラム可能データ処理装置のプロセッサに提供されることができ、その結果、コンピュータ、又はあらゆる他のプログラム可能データ処理装置のプロセッサにより実行された命令は、フローチャートにおける１つ若しくは複数の処理の具体的な機能、及び／又は構成図における１つ若しくは複数のブロックの具体的な機能を実施するための装置を生成する。
【０１３４】
これらのコンピュータプログラム命令は、同様に、コンピュータ又はあらゆる他のプログラム可能データ処理装置に具体的な方法において機能するように指示することができるコンピュータ読み取り可能メモリに記憶されることができ、その結果、コンピュータ読み取り可能メモリに記憶される命令は、命令装置を含む人工物を生成する。命令装置は、フローチャートにおける１つ若しくは複数の処理の具体的な機能、及び／又は構成図における１つ若しくは複数のブロックの具体的な機能を実施する。
【０１３５】
これらのコンピュータプログラム命令は、同様に、コンピュータ又は別のプログラム可能データ処理装置にロードされることができ、その結果、一連の動作及びステップがコンピュータ又は別のプログラム可能データ処理装置上で実行され、それにより、コンピュータ実施処理を生成する。したがって、コンピュータ又は別のプログラム可能データ処理装置上で実行された命令は、フローチャートにおける１つ若しくは複数の処理の具体的な機能、及び／又は構成図における１つ若しくは複数のブロックの具体的な機能を実施するためのステップを提供する。
【０１３６】
明らかに、当業者は、本発明の範囲からはずれずに、本発明に様々な修正及び変更を行うことができる。本発明は、これらの修正及び変更が添付の請求項及びそれらの同等の技術により定義された保護の範囲内に含まれる限り、これらの修正及び変更をカバーすることを意図している。
【図１】
0006498757.tif 000002
【図２】
0006498757.tif 000003
【図３】
0006498757.tif 000004
【図４】
0006498757.tif 000005
【図５】
0006498757.tif 000006
【図６】
0006498757.tif 000007
【図７】
0006498757.tif 000008
【図８】
0006498757.tif 000009
【図９】
0006498757.tif 000010